(57)【特許請求の範囲】
【請求項１】
複数の撮影モードを備え、該複数の撮影モードを切り替えることで、異なる範囲の撮影が可能なドアホン子機と、
該ドアホン子機と通話する親機と、のインターホン通話方法であって、
前記ドアホン子機は、前記親機への呼出を行うと、
前記複数の撮影モードのうち、
第１の撮影モードを選択し、撮影を開始するとともに、
前記親機からの応答を待つ通話待機状態に移行し、
該通話待機状態において、
前記親機からの応答がなければ、通話を終了し、
前記親機からの応答があれば、
前記複数の撮影モードのうち、前記第１の撮影モードとは異なる
第２の撮影モードに自動的に切り替え、
撮影を行うとともに、
通話を開始することを特徴とするインターホン通話方法。
【請求項２】
前記ドアホン子機は、前記通話待機状態において、
前記親機からの応答があった場合は、
前記第２の撮影モードにより撮影を行い、通話を開始し、
前記所定時間経過するまでに、前記親機からの応答がなかった場合は、
自動的に前記第１の撮影モードに切り替えて、
前記親機からの応答を待ち、
前記親機からの応答があれば、再度前記第２の撮影モードに自動的に切り替え、通話を開始し、
前記親機からの応答がなければ、終了することを特徴とする請求項１に記載のインターホン通話方法。
【請求項３】
前記ドアホン子機は、前記通話待機状態において、
前記親機からの応答があった場合は、
前記第２の撮影モードにより撮影を行い、通話を開始し、
前記所定時間経過するまでに、前記親機からの応答がなかった場合は、
前記第２の撮影モードで適切に撮影できる位置に誘導するメッセージを出力することを特徴とする請求項１または請求項２のいずれかに記載のインターホン通話方法。
【発明の詳細な説明】
【０００１】
【発明の属する技術分野】
本発明は、ドアホン子機と親機で通話するインターホン通話方法に関する。
【０００２】
【従来の技術】
従来のインターホン通話方法は、図４に示すように、子機１に、撮影手段であるカメラ１１、スピーカ１２、通話釦１３、マイク１４が備えられ、カメラ１１で訪問者の姿を撮影し、その画像を親機２に備えられたＴＶ画面２１に映し出すものである。親機２には、ＴＶ画面２１と、スピーカ２２、通話釦２３、切り替え用スイッチ２４、マイク２５が備えられている。子機１に備えられたカメラ１１は、訪問者を確実に撮影するために、広角画像、標準画像の２種類の画像を撮影できるようになっている。しかし、この広角画像と標準画像とを切り替える際に、切り替え用スイッチ２４を手動で押すことで切り替えるものであった。そのため、親機２に切り替え用のスイッチ２４を設ける必要があった。また、これまで、子機１と親機２で通話が始まっていない状態において、カメラ１１により訪問者の姿を撮影しているとき、姿がカメラ１１の画角から外れた場合は、親機２の使用者が、通話を開始するために、通話釦２３を押し、インターホンで、子機１側の訪問者にカメラ１１で適切に撮影できる位置に誘導するように話しかけないかぎり、訪問者の姿を撮影することはできなかった。
【０００３】
【発明が解決しようとする課題】
そこで、本発明は上記問題点に鑑みてなされたもので、その目的とするところは、インターホン通話装置に、画像切り替え用のスイッチを別に設けることなく、  広角画像と標準画像を自動的に切り替えることができるとともに、訪問者の姿を適切に撮影することができるように、訪問者を誘導するインターホン通話装置におけるインターホン通話方法を提供することにある。
【０００４】
【課題を解決するための手段】
上記目的を達成するために本発明のインターホン通話装置は、以下の構成を備える。すなわち、
請求項１の発明では、複数の撮影モードを備え、該複数の撮影モードを切り替えることで、異なる範囲の撮影が可能なドアホン子機と、該ドアホン子機と通話する親機と、のインターホン通話方法であって、前記ドアホン子機は、前記親機への呼出を行うと、前記複数の撮影モードのうち、第１の撮影モードを選択し、撮影を開始するとともに、前記親機からの応答を待つ通話待機状態に移行し、
該通話待機状態において、前記親機からの応答がなければ、通話を終了し、前記親機からの応答があれば、前記複数の撮影モードのうち、前記第１の撮影モードとは異なる第２の撮影モードに自動的に切り替え、撮影を行うとともに、通話を開始することを特徴とする。
【０００５】
請求項２の発明では、前記ドアホン子機は、前記通話待機状態において、前記親機からの応答があった場合は、前記第２の撮影モードにより撮影を行い、通話を開始し、前記所定時間経過するまでに、前記親機からの応答がなかった場合は、自動的に前記第１の撮影モードに切り替えて、前記親機からの応答を待ち、前記親機からの応答があれば、再度前記第２の撮影モードに自動的に切り替え、通話を開始し、前記親機からの応答がなければ、終了することを特徴とする。
【０００６】
請求項３の発明では、前記ドアホン子機は、前記通話待機状態において、前記親機からの応答があった場合は、前記第２の撮影モードにより撮影を行い、通話を開始し、前記所定時間経過するまでに、前記親機からの応答がなかった場合は、前記第２の撮影モードで適切に撮影できる位置に誘導するメッセージを出力することを特徴とする。
【０００７】
【発明の実施の形態】
以下、本発明の実施の形態を図示例と共に説明する。本発明に係わるインターホン通話方法の第１の実施の形態を、図１（ｂ）を参照して以下に説明する。まず、本実施の形態における装置の構成を説明する。図１（ｂ）に示すように、本実施の形態が用いられるインターホン通話装置は、家屋外部の玄関などの設けられる呼び出し用のドアホン子機Ａと、家屋内部に設けられる呼び出し受話用の親機Ｂと、からなる。ドアホン子機Ａは、訪問者を撮影するための撮像手段としてＣＣＤ撮像素子Ａ２を備え、ＣＣＤ撮像素子Ａ２は、広い範囲を撮影できる広角レンズＡ４と標準の範囲を撮影できる標準レンズＡ５の２つのレンズを備えている。本実施の形態では、この広角レンズＡ４と標準レンズＡ５とを切り替えることで、異なる撮影範囲を撮影する撮影モードを切り替えている。さらに、この２つのレンズの切り替えを行うレンズ切替回路Ａ１０と、ＣＣＤ撮像素子Ａ２により撮像された撮像信号を処理する撮像信号処理回路Ａ１と、親機Ｂに対して呼出を行うための呼出釦Ａ６と、を備えている。
【０００８】
また、親機Ｂは、ドアホン子機ＡのＣＣＤ撮像素子Ａ２により撮像された撮像信号を、画像表示装置であるテレビ画面Ｂ３に表示するために必要な信号処理を行う映像信号受信回路Ｂ１と、ドアホン子機Ａからの呼出を検出する呼出検出回路Ｂ４と、ドアホン子機Ａからの呼出に対して通話を開始するために押下される通話釦Ｂ６と、呼出検出回路Ｂ４と通話釦Ｂ６からの信号を受信し、ドアホン子機Ａに備えられた広角レンズＡ４と標準レンズＡ５を切り替えるために、レンズ切替回路Ａ１０に制御信号を送出する制御用マイコンＢ５と、を備えている。
【０００９】
次に、図１（ａ）を参照して、本実施の形態におけるインターホン通話方法を説明する。ドアホン子機Ａの呼出釦Ａ６が押下されると、親機Ｂの呼出検出回路Ｂ４に、ドアホン子機Ａからの呼出があったことを示す信号を送出し、呼出が検出される（ステップＳＡ１）。ドアホン子機Ａは、広角レンズＡ４を使って、訪問者の撮影を開始するとともに親機Ｂからの応答を待つ呼出待機状態になる（ステップＳＡ２）。
【００１０】
ここで、親機Ｂの通話釦Ｂ６が押下されると（ステップＳＡ３）、制御用マイコンＢ５が、レンズ切替回路Ａ１０に対し、レンズの切替信号を送出する。切替信号を受信したレンズ切替回路Ａ１０は、呼出待機状態での広角レンズＡ４から、通話状態での標準レンズＡ５に切り替え、撮影を継続するとともに（ステップＳＡ４）、通話を開始する（ステップＳＡ５）。通話が終われば、終了となる（ステップＳＡ６）。ステップＳＡ３において、親機Ｂの通話釦Ｂ６が押下されなければ、通話終了となる。以上が、本実施の形態におけるインターホン通話方法である。
【００１１】
本実施の形態により、インターホン通話装置の通話待機状態、通話状態に応じて、自動的に広角レンズＡ４と標準レンズＡ５とを切り替えることで、広角の画像と、標準の画像とを自動的に切り替えることが可能となり、手動で切り替えるための操作釦が不用になるとともに、操作する手間を簡略化することができる。
【００１２】
本発明に係わるインターホン通話装置の第２の実施の形態を、図２を参照して以下に説明する。なお、本実施の形態は上述した第１の実施の形態のものと同じ箇所には同じ符号を付してあるので、同じ符号の箇所の詳細な説明は省略する。図２（ｂ）に示すように、本実施の形態は、第１の実施の形態において、親機Ｂに、所定時間ごとに広角レンズＡ４、標準レンズＡ５とを、自動的に切り替えるためのタイマー回路Ｂ１０を設けたものである。
【００１３】
次に、図２（ａ）を参照して、本実施の形態における動作を説明する。子機Ａからの呼出を検知すると（ステップＳＢ１）、標準レンズＡ５による撮影を開始するとともに、親機Ｂからの応答を待つ通話待機状態に移行し、通話釦Ｂ６が押下されたかを検出する（ステップＳＢ２）。
【００１４】
ここで、通話釦Ｂ６が押下されれば、通話開始（ステップＳＢ４）となり、通話が終了すれば、終了（ステップＳＢ５）となる。通話釦Ｂ６が押下されず、通話待機状態が所定時間以上経過してかを判定する（ステップＳＢ６）。所定時間経過していなければ、ステップＳＢ３に戻り、通話釦Ｂ６が押下されたかを検出する。所定時間経過していれば、レンズを広角レンズＡ４に切り替えて撮影を開始する（ステップＳＢ７）。ここで通話釦Ｂ６が押下されなければ、通話終了となる（ステップＳＢ５）。通話釦Ｂ６が押下されれば、再度レンズを標準レンズＡ５に切り替え（ステップＳＢ９）、通話を開始し（ステップＳＢ４）、通話が終了すれば、終了となる（ステップＳＢ５）。以上が、本実施の形態におけるインターホン通話方法である。
【００１５】
本実施の形態により、操作者が、広角モードと標準モードを切り替える操作釦を押下する手間をかけずに、自動的に切り替えを行うことができる。
【００１６】
本発明に係わる第３の実施の形態を図３を参照して説明する。なお、本実施の形態は上述した第１の実施の形態のものと同じ箇所には同じ符号を付してあるので、同じ符号の箇所の詳細な説明は省略する。図３（ｂ）に示すように、本実施の形態におけるインターホン通話装置は、第１の実施の形態において、親機Ｂに、時間を計測するタイマー回路Ｂ１０と、音ＩＣＢ１１にプログラムされた音声パターンを取り出し、ドアホン子機ＡのスピーカＡ９で鳴動させるための信号を生成する音声信号回路Ｂ１２とを備えているものである。
【００１７】
次に、図３（ａ）を参照して、本実施の形態におけるインターホン通話方法を説明する。本実施の形態においては、第２の実施の形態におけるインターホン通話方法に対し、ステップＳＢ７が、ステップＳＣ７のメッセージを出力する動作となっている。また、レンズの切り替えであるステップＳＢ９がなくなっているものである。
【００１８】
ステップＳＣ６において、所定時間経過していれば、音ＩＣＢ１１に記憶された音声パターンを音声信号回路Ｂ１２に送出し、スピーカＡ９で所定のメッセージとして、例えば、「どちらさまですか」というメッセージを流し、訪問者を子機Ａに備えられたカメラ１１の前に誘導する。次に、通話釦の押下の検出を行う（ステップＳＣ８）。押下が検出されれば通話を開始する（ステップＳＣ４）。押下が検出されなければ、終了となる。以上が、本実施の形態における動作である。
【００１９】
本実施の形態により、訪問者を所定の位置に立たせることができるので、訪問者の姿を適切に撮影することが可能となる。
【００２０】
以上、本発明の好適な実施の形態を説明したが、本発明はこの実施の形態に限らず、種々の形態で実施することができる。
【００２１】
【発明の効果】
上記のように本発明の請求項１に係るインターホン通話方法によれば、撮影モードの切り替えを、切り替えスイッチを手動でなく、自動的に行うことができるので、切り替えスイッチを設ける必要がなくなる。
【００２２】
また、請求項２の発明は、通話待機状態において、所定時間経過すれば、自動的に広角画像と標準画像が切り替わるものであるので、切り替えスイッチを設ける必要がなくなる。
【００２３】
また、請求項３の発明は、通話待機状態において、所定時間経過したとき、訪問者に所定の位置に立つようにメッセージを伝えることができるので、訪問者の姿を適切に撮影できる。
【図面の簡単な説明】
【図１】本発明に係わるインターホン通話方法の第１の実施の形態を示す図である
【図２】本発明に係わるインターホン通話方法の第２の実施の形態を示す図である
【図３】本発明に係わるインターホン通話方法の第３の実施の形態を示す図である
【図４】従来のインターホン装置である
【符号の説明】
Ａ          ドアホン子機
Ａ１        映像信号処理回路
Ａ２        ＣＣＤ撮像素子
Ａ４        広角レンズ
Ａ５        標準レンズ
Ａ６        呼出釦
Ａ７        通話回路
Ａ８        マイク部
Ａ９        スピーカ部
Ａ１０      レンズ切替回路
Ｂ          親機
Ｂ１        映像信号受信回路
Ｂ３        テレビ画面
Ｂ４        呼出検出回路
Ｂ５        制御用マイコン
Ｂ６        通話釦
Ｂ７        通話回路
Ｂ８        マイク部
Ｂ９        スピーカ部
Ｂ１０      タイマー回路
Ｂ１１      音ＩＣ
Ｂ１２      音声信号回路
１          子機
２          親機
１１        カメラ
１２        スピーカ
１３        通話釦
１４        マイク
２１        ＴＶ画面
２２        スピーカ
２３        通話釦
２４        切り替え用スイッチ
２５        マイク
【図１】
0003627661.tif 000002
【図２】
0003627661.tif 000003
【図３】
0003627661.tif 000004
【図４】
0003627661.tif 000005